(57)【要約】【課題】記録帯搬送方向の印刷開始位置補正裕度を向上させた印刷装置を提供することである。【解決手段】印刷制御装置が記録帯搬送開始信号を送信してから印字信号による照射光を感光体に露光することにより形成された最初の静電画像が転写点に到達するまでの時間Ｔに対し、記録帯の印刷先頭位置が転写点に到達する契機を可変することが可能なαの時間を設け、頁管理された静電画像を記録帯へ転写開始する契機を変えることで達成される。【選択図】        図１
2004252236.tif 000002
【特許請求の範囲】
【請求項１】
印刷制御装置からの印字信号により静電画像を形成するための感光体、該感光体に露光するための光源装置、記録帯に静電画像を転写する転写装置、及び、記録帯を搬送する搬送装置を具備する電子写真式印刷装置において、
記録帯の搬送開始契機を、ａ時間分可変させることを特徴とする電子写真式印刷装置の印刷開始位置補正方法。
【請求項２】
前記ａ時間は、転写開始契機において記録帯の搬送速度と感光体の回転速度が等速となる期間とすることを特徴とする請求項１記載の電子写真式印刷装置の印刷開始位置補正方法。
【発明の詳細な説明】
【０００１】
【発明の属する技術分野】
本発明は、電子写真式印刷装置における記録帯搬送方向の印刷開始位置補正方法に関する。
【０００２】
【従来の技術】
電子写真式印刷装置は、特許２８１１６８０号公報にて周知の通り、感光体上に静電画像を形成し、そこにトナーを吸着させて印刷用紙等の記録帯に熱転写するものである。静電画像の形成にはレーザやＬＥＤ等の光源を用い、印刷制御装置から印刷装置に送信されてくる印字信号を元にして感光体の走査上で該光源を点滅させ、一定の速度で回転する感光体に露光することで実現する。
【０００３】
ところで、静電画像を記録帯に転写する際に、記録体のどの位置から転写させるかを決める必要がある。静電画像と記録帯の同期をとる一般的な手法は、印刷装置から印刷制御装置へ記録帯搬送同期信号を送信し、この信号に同期して印刷制御装置から印刷装置へ記録帯搬送開始信号を送信する方法である。記録帯搬送信号開始を記録帯搬送方向の印刷開始位置と定義し、印刷制御装置は本契機により印字信号の送信を開始する。
【０００４】
ここで、図４のように静電画像形成のために感光体４０２に露光する位置、すなわち露光点から静電画像４０４を記録帯４０１に転写する位置、すなわち転写点までの円弧上の距離Ｌが存在する。よって、印刷開始時において、印刷装置が記録帯搬送開始信号を受信してから記録帯４０１の印刷先頭位置が到達する契機は、感光体４０２の回転速度をＶとすると、（Ｔ＝Ｌ／Ｖ）にて求まるＴの時間分遅らせる必要がある。よって、記録帯搬送開始信号と記録帯４０１の印刷先頭位置の関係は、図２のように記録帯搬送開始信号を受信してからＴ時間後に印刷先頭位置が転写開始契機に到達するタイミングである。ここで言う記録帯４０１の印刷先頭位置とは、連続紙の場合、図２中の折ミシン目を指す。
【０００５】
また、実際の記録帯搬送方向の印刷開始位置は、図示されない光走査装置の調整において、光走査装置から走査される光源４０３が感光体４０２に露光する位置の調整ばらつきにより、印刷開始位置を補正する必要がある。よって、印刷制御装置が前記記録帯搬送開始信号に対し、図３のように印字信号出力開始契機を変えることでその補正を実現していた。
【０００６】
【発明が解決しようとする課題】
一方、前記した光走査装置から走査される光源４０３が感光体４０２に露光する位置の調整ばらつきは、個々の印刷装置によって千差万別である。その要因は製造工程における調整時のばらつきのみならず、輸送時の振動や経時変化等の要因でも発生し得る。このばらつきを補正する方法は、前記した印刷制御装置による印字信号出力開始契機の補正によりある程度は実現できる。しかし、このばらつきの程度によっては、図３に示した印字信号Ｂの契機、すなわち、記録帯搬送開始信号と同時に印字信号の送信を開始するといった最大補正を実施したとしても、記録帯４０１の折ミシン目まで補正しきれない場合もある。この場合、図示されない光走査装置の調整により感光体４０２に露光する位置を再調整する必要があるが、本調整によるシステムダウンを余儀なくされる。
【０００７】
本発明の目的は、記録帯搬送方向の印刷開始位置補正裕度を向上させた印刷装置を提供することである。
【０００８】
【課題を解決するための手段】
上記課題を解決するため、本発明では、印刷制御装置からの印字信号により静電画像を形成するための感光体、該感光体に露光するための光源装置、記録帯に静電画像を転写する転写装置、及び、記録帯を搬送する搬送装置を具備する電子写真式印刷装置において、記録帯の搬送開始契機を、ａ時間分可変させることを特徴とする。
【０００９】
また、前記ａ時間は、転写開始契機において記録帯の搬送速度と感光体の回転速度が等速となる期間とすることを特徴とする。
【００１０】
【発明の実施の形態】
本発明の一実施例を図１を用いて説明する。
【００１１】
図１は、記録帯搬送開始信号、印字信号、記録帯の搬送速度、記録帯の折ミシン目の関係を示すタイミングチャートである。印刷装置が印刷制御装置から記録帯搬送開始信号を受信すると、そこから（Ｔ＋α）時間後に記録帯の折ミシン目が転写点に到達するタイミングで記録帯搬送を開始する。一方、印字信号による静電画像は、そのα時間前に転写点に到達している。従って、印字信号による静電画像の転写点到達契機にて転写を開始すれば、α時間分前方から記録帯に静電画像を転写することができる。すなわち、前記記録帯搬送開始信号と同時に印字信号の送信を開始するといった最大補正による転写結果よりも手前から転写可能となる。このαを印刷装置の保守機能を用いて試印刷しながら可変することで、記録帯の折ミシン目から印字信号による静電画像を転写することが可能となる。ここで、記録帯搬送開始遅延時間αは、転写開始契機において記録帯の搬送速度と感光体の回転速度が等速となりうる期間とする。
【００１２】
また、本実施例において、αの設定を大きくすることにより、記録帯の折ミシン目よりも手前から転写することが可能となるため、図５のように折ミシン目を跨いで仕分けマークを印刷し、記録帯を水平方向から目視することで仕分け頁が判断できるような使い方にも応用できる。
【００１３】
さらに、本実施例においては、αを正の値、すなわち記録体に対する静電画像の転写契機を早める方向に補正する方法について示したが、αを負の値とすることで、該転写契機を遅らせることが可能であることは言うまでもない。
【００１４】
【発明の効果】
本発明によれば、印刷制御装置から送信される記録帯搬送開始信号に対し、印刷装置の記録帯搬送契機を可変させ、静電画像の記録帯への転写位置を変えることが可能となるので、より裕度のある記録帯搬送方向の印刷開始位置補正機能を具備した印刷装置を提供することができる。
【図面の簡単な説明】
【図１】本発明になる記録帯搬送方向の印刷開始位置補正機能手段の一実施例を示すタイミングチャートである。
【図２】従来の記録帯搬送開始信号と印刷装置の記録帯搬送開始タイミングの一実施例を示すタイミングチャートである。
【図３】記録帯搬送開始信号と印字信号送信開始タイミングの関係と静電画像の記録帯への転写位置との相関図である。
【図４】一実施例を示す電子写真式印刷装置の転写点と露光点の関係図である。
【図５】仕分けマークによる仕分け方法の一実施例を示す概念図である。
【符号の説明】
４０１は記録帯、４０２は感光体、４０３は光源、４０４は静電画像である。
【図１】
2004252236.tif 000003
【図２】
2004252236.tif 000004
【図３】
2004252236.tif 000005
【図４】
2004252236.tif 000006
【図５】
2004252236.tif 000007